Podtech/llm-jp-corpus-v4-ja_patent huggingface dataset:
(57)【要約】【課題】  本考案は、道路上を規制して交通事故処理や道路維持工事の際、規制材の円錐形のラバコーンやカラーコーンが、走行車両の風圧や接触で倒れても直ちに起き上がり元の姿勢に戻り、規制区域が保たれ一般車両の進入を防ぎ、工事中の作業員等に危害を与えるのを防止する道路安全規制具である。【解決手段】  本考案の円錐形規制材は倒れても直ちに元の姿勢に戻るものであり、円錐形本体１に底部箱型２を設け、その内部に錘４を装置する、その錘の作用により本体１を回転させ、倒れても元の姿勢に戻り規制区域を守り一般車両の進入を防ぎ、規制区域内で作業中の作業員に危害を与えるのを防ぐものである。【選択図】    図１
0003120233.tif 000002
【実用新案登録請求の範囲】
【請求項１】
円錐形のラバコーンやカラーコーンの底部を箱型にして、その内部に錘りを装置し、円錐形のコーンが倒れてもただちに元の姿勢に起き上がる特徴の有る、円錐形のコーン。
【請求項２】
請求項１に記載した、円錐形のコーンの底部箱型の側面を、円形にしてコーン本体が回転しやすくした特徴の有る、円錐形のコーン。
【請求項３】
上記請求項に記載した、円錐形のコーンの頭部にウイングを取り付け、コーン本体が倒れた時の角度を緩やかにして、ただちに元の姿勢に起き上がる特徴の有る、円錐形のコーン。
【考案の詳細な説明】
【技術分野】
【０００１】  本考案は道路上に於ける交通事故処理、道路維持工事の際車線を規制する、機材に関するものである。
【背景技術】
【０００２】  近年産業経済の基盤技術と深い関連がある、高速道路や国道、一般道路が拡充され産業道路網が充実されている、物資や人員、情報の伝達輸送として道路の発達は極めて重要である。【０００３】  しかしながら、交通量の増大、車両の大型化等により交通事故の激増、道路維持工事の増大で見られる如く道路の渋滞が激しくなる、そんな中で従来の規制材に使われている、円錐形のラバコーンやカラーコーンは、走行車両の風圧や接触によつて倒れたら倒れたままで、車線の規制区域が分からなくなる、またラバコーンやカラーコーンを跳ね飛ばし、後続の走行車両の運転の妨げとなり、二次事故の原因にもなり危険である、簡易なラバコーンやカラーコーンではあるが非常に重要性がある。
【考案の開示】
【考案が解決しようとする課題】
【０００４】  規制材が倒れたままだと、規制区域が分からなくなり規制区域に一般車両が進入し作業員等に危害を与える、また倒れた規制材を元に戻すための監視員が必要となる、維持工事の規制区間の距離が長い場合は、複数の監視員が必要となり、近年話題にされているコスト削減に反する事となり不経済である、本考案は前述の欠点を解決しょうとする道路安全規制具である。
【課題を解決しようとする手段】
【０００５】  本考案の倒れても直ちに起き上がる円錐形のコーンは、コーン本体の底部を箱型にしてその箱型に錘を装置する、錘を箱型の最低部に装置することにより、コーン本体が倒れたときに、倒れたコーンの支点と錘りまでの距離ができる事により反力が生まれる、この反力がコーン本体を回転させ起き上がらせる事となる。
【０００６】  しかし、道路に勾配があり倒れた方向が下り方向の時は、倒れ角度が大きいためコーン本体は回転しなくなる、そこで本考案はコーン本体の頭部にウイングを取り付ける、このウイングは底部箱型より巾を広くし、倒れたときの角度を小さく緩やかにすることにより、反力の原理により回転し起き上がる、この時箱型の側面を円形にすることにより、より回転しやすくなる、ウイングは収納時に折りたたまれコンパクトになる。
【考案の効果】
【０００７】  上述のように、規制材が走行車両の風圧や接触によって倒れても、直ちに元の姿勢に起きあがり規制区域が保たれ、一般車両の進入が防がれ作業員の災害もなくなり、道路維持工事や交通事故処理が安全に出来る、道路安全施設規制具である。
【考案を実施するための最良の形態】
【０００８】  規制材の円錐形コーンは、本体の底部を箱型にしてその内部に錘りを装置することにより、箱型が回転し直ちに元の姿勢に起き上がる、錘りは本体の最低部に装置する必要があり箱型の深さは適度とする、また側面を円形にすることにより、回転時には点で接するので抵抗がなく回転しやすい。【０００９】  しかし道路に勾配があり、その勾配の下り方向に倒れたときは本体の倒れ角度が大きいため起き上がらなくなる、本考案は本体コーンの頭部にウイングを取り付ける、このウイングは底部箱型より巾を広くとり、倒れたときの角度を小さく緩やかにして回転しやすくする。
【実施例】
【００１０】  以下、添付図に従って一実施例を説明する、本体は耐久性のラバーゴム又は塩化ビニール樹脂等適宜素材にて、一体化形成された円錐形コーンである、図１は本体を斜め上から見た図、図２は中央断面図、図３は底部箱型を裏から見た図であり、本体１の底部に底部箱型２がありその最低部に錘４を装置する、円錐形の本体１が図４のように倒れたとき底部箱型２に錘４が装置されているため倒れた支点と錘の間に反力が生し本体が回転し起き上がることになる、倒れた方向が道路の勾配下り方向のときは、本体１の頭部に取り付いたウイング３が底部箱型２より巾が広いので、倒れ角度が小さく緩やかになるので、錘４の作用により回転し起き上がる。このウイング３は、本体１のコーンに直付とし５枚の羽から成り本体１の設置時には広がり収納時には折りたたまれる構造とする。【００１１】  本考案の一実施例は上述の如き構成からなるが、底部箱型の部分のみを部品として単品で作り、従来から所持している一般のラバコーンやカラーコーンに、取り付けることで起き上がるコーンに変える事も出来る。
【図面の簡単な説明】
【００１２】
【図１】本体を斜め上から見た図
【図２】中央断面図
【図３】底部箱型を裏から見た図
【図４】本体が倒れたときの斜め上から見た図
【記号の説明】
【００１３】１  本体
２  底部箱型
３  ウイング
４  錘
【図１】
0003120233.tif 000003
【図２】
0003120233.tif 000004
【図３】
0003120233.tif 000005
【図４】
0003120233.tif 000006
【手続補正書】
【提出日】平成17年12月22日(2005.12.22)
【手続補正１】
【補正対象書類名】実用新案登録請求の範囲
【補正対象項目名】全文
【補正方法】変更
【補正の内容】
【実用新案登録請求の範囲】
【請求項１】
円錐形のラバコーンやカラーコーンの底部を箱型にして、その内部に錘りを装着し、円錐形のコーンが倒れてもただちに元の姿勢に起き上がる特徴のある、円錐形のコーン。
【請求項２】
請求項１に記載した、円錐形のコーンの底部箱型の側面を、円形にしてコーン本体が回転しやすくした特徴のある、円錐形のコーン。
【請求項３】
上記請求項１又は２に記載した円錐形のコーンの頭部にウイングを取り付け、コーン本体が倒れた時の角度を緩やかにして、ただちに元の姿勢に起き上がる特徴のある、円錐形のコーン。
(57)【要約】      （修正有）【課題】従来のワイヤーの食い込みに対する痛みの解消ならびに、運動の際のズレの防止、またシリコーン樹脂を使用する事によって生じる蒸れの解消。【解決手段】ブラジャー（又は水着）のワイヤー部分の内側に靴擦れ防止等に使われるシリコーン樹脂を貼り付けることによって、運動の際の位置のズレを防止し、さらにワイヤーが直接肌に食い込む事を防止するものと考案した。また、シリコーン樹脂自体に穴や凹凸を設ける事によって、蒸れも解消するものとした。【選択図】図１
0003120231.tif 000002
【実用新案登録請求の範囲】
【請求項１】
ブラジャーの内側にシリコーン樹脂を貼り付け、又は縫いつけワイヤーの食い込みと、動いたときのズレをなくしたブラジャー。
【考案の詳細な説明】
【技術分野】
【０００１】本考案はブラジャーに関するものであり、内側にシリコーン樹脂を縫い付ける又は貼り付けることによって、ワイヤーの食い込み、及び長時間着用によるズレを解消するものである。
【背景技術】
【０００２】従来のものでは、食い込みの痛みに対抗して、ワイヤー部分にメッシュの生地を貼るようになっていた。
【考案の開示】
特開２００３−３４２８０５号公報
【考案が解決しようとする課題】
【０００３】しかし従来の物では、手を上げたり運動をする際にブラジャーの位置のズレが生じてしまった。従って、本考案は従来通りのワイヤーの食い込みに対する痛みの解消ならびに、運動の際のズレの解消を課題とする。
【課題を解決するための手段】
【０００４】本考案では、靴擦れ防止等に使われるシリコーン樹脂を内側に縫い付ける（又は貼り付ける）事によって、運動によるズレを解消するものと考案した。また、ズレないことによって、胸が一番美しく見える最適の位置を保持することが可能になる。同時に、運動した際に、胸とブラジャーの隙間が生じる事もなくなると考案した。
【０００５】ワイヤー部分の内側にも同様のシリコーン樹脂を貼り付ける事によって、ワイヤーが直接肌に食い込む事を防止するように考案した。
【０００６】シリコーン樹脂やゴム素材を長い時間肌に直接接触させていると、必然的に蒸れが生じる物と考えたため、シリコーン樹脂に穴を開ける、又は凹凸を設ける事によって、蒸れを防げるものと考案した。
【考案の効果】
【０００７】本考案により、従来の課題であったワイヤーの食い込みで生じる痛みと、さらに運動による位置のズレを解消する事が可能になる。また、シリコーン樹脂独特の蒸れに対しても、通気口を設ける事によって、快適に着用する事が可能となる。
【考案を実施するための最良の形態】
【０００８】図１−１の場所に、シリコーン樹脂を縫い付ける（又は貼り付ける）。図１−２の部分のワイヤーが肌に一番食い込む場所なので、シリコーン樹脂は必ずワイヤーにそって貼り付けられる事が望まれる。シリコーン樹脂を内側に貼り付けると、従来の一般的に普及しているブラジャーのパットの出し入れが不可能になる為、パットの出入り口は、従来のように真ん中ではなく、端から（パットを）出し入れ出来るようにする事が望まれる。シリコーン樹脂と肌との長時間の接触による蒸れに対する解消として、シリコーン樹脂には、いくつかの穴、又は凹凸を設ける事によって、蒸れを防ぐものとする。
【図面の簡単な説明】
【０００９】
【図１】  本考案を取り付ける際の図面である。
【図１】
0003120231.tif 000003
(57)【要約】      （修正有）【課題】運動用具に遊戯具機能と、ゲーム機能を併せることで身体トレーニングが楽しいものとする。【解決手段】木馬１に、掴まりバー１−１と腰掛けクッション１−２を取り付ける。その木馬１をＤ形状可動台２に取り付ける。複数のカラーボール４−３と、複数のボール移動仕切り板４−１、複数のボールホルダー穴４−２を設ける。ボール移動ストッパーピン５と、それを操作する操作板５−１を取り付けたボール移動ゲーム器具４を、Ｄ形状可動台２に取り付ける。Ｄ形状可動台２に足掛け板２−２を取り付ける。その一体と成ったＤ形状可動台２をゴムバンド７、又はバネ等弾性材で固定台板６に取り付ける。木馬１、ゲーム器具４が一体となり左右、前後に傾斜することで、実施者が上肢の体重移動を行い、握力、腕力、腹筋、背筋、脚力等を楽しみながらトレーニング出来る。【選択図】図１
0003120238.tif 000002
【実用新案登録請求の範囲】
【請求項１】
可動台に木馬とボール移動ゲーム器具を取り付ける。可動台を固定台に弾性材で取り付ける。木馬とボール移動ゲーム器具が同時に左右、前後に傾斜出来ることを特徴とした身体バランス運動用具。
【請求項２】
ボール移動ゲーム器具を液体移動ゲーム器具とした請求項１の身体バランス運動用具。
【請求項３】
木馬を遊戯具とした請求項１の身体バランス運動用具。
【考案の詳細な説明】
【技術分野】
【０００１】  本案は、遊戯木馬にボール移動ゲーム器具を取り付けた身体バランス運動機能を有する運動用具に関するものである。
【背景技術】
【０００２】  従来の運動用具は、機能本位であり身体のトレーニングのみに重点を置いている。又、従来のゲーム器具は娯楽に重点を置いている物が多い。
［考案の関係］
［考案が解決しょうとする課題］【０００３】  身体トレーニング用具には、動作が単調となる物が多い。そのため積極的に取り組む人が少ないものである。
運動用具に遊戯具機能と、ゲーム機能を併せることで身体トレーニングが楽しいものと成る。
【課題を解決するための手段】
【０００４】  本考案は、動物型遊戯具又は車型、飛行機型遊戯具にボール移動ゲーム器具又は液体移動ゲーム器具を取り付ける。その一体物を固定台にゴム、バネ等弾性材で取り付ける。
【考案の効果】
【０００５】  上述の様にすることで、木馬に跨り腰を降ろし、足を掛け、掴まりバーを握り、ボール移動ストッパーを操作し、遊戯具を左右に傾斜、又は前後に傾斜させ、ボールの移動をコントロールすることで、ボールをホルダー穴にインさせる。カラーボールを使用することで、ボールのホルダー穴イン配置により、よりゲーム性を向上させることが出来る。
上肢を木馬上で静止、左右移動、前後移動することで握力、腕力、腹筋、背筋、脚力等を鍛えることが出来、身体のバランス感覚を養うことが出来る。ゲームを楽しみながら気軽にトレーニングが出来る。
【考案を実施するための最良の形態】
【０００６】  木馬に掴まりバーと、腰掛けクッションを取り付ける。その木馬を可動台に取り付ける。可動台に足掛け板を取り付ける。
複数のボールと、複数のボール移動仕切り板、複数のボールホルダー穴を設ける。ボール移動ストッパーピンと、それを操作する操作板を取り付けたゲーム器具を可動台に取り付ける。
その木馬と、ボール移動ゲーム器具が一体と成った可動台を弾性材で固定台に取り付ける。
【実施例】
【０００７】  以下添付図面に従って一実施例を説明する。木馬１の頭部に掴まりバー１−１を取り付ける。木馬１の背にクッション１−２を取り付ける。木馬１をＤ形状可動台２の平面部に、二本の支柱３にて取り付ける。Ｄ形状可動台２の、円形部分を台底部とする。木馬１の尻部にあたるＤ形状可動台２の端部、底部円形部分を斜めに切断する。Ｄ形状可動台２の、横部にゴムバンド受けバー２−１を二本貫通させ取り付ける。Ｄ形状可動台２の木馬１前側に、ボール移動ゲーム器具４を前方下がり傾斜として、取り付ける。Ｄ形状可動台２の、木馬１支柱３を取り付けた平面部に、足掛け板２−２を取り付ける。
ボール移動ゲーム器具４内に、複数のボール移動仕切り板４−１と、複数のボールホルダー穴４−２を設ける。ゲーム器具４内のボールセット部分に、ボール移動ストッパーピン５を設け、その操作板５−１をゲーム器具４外部に取り付ける。
固定台板６に、木馬１の左右傾斜調整板６−１をＤ形状可動台２のゴムバンド受けバー２−１の当る位置、四ヶ所に取り付ける。固定台板６中央部に、Ｄ形状可動台２設置用溝６−２を設ける。溝６−２の木馬１尻側、Ｄ形状可動台２の斜め切断部分が当る位置を溝６−２幅で斜めに切断し、開口部とする。固定台板６の傾斜調整板６−１部分四ヶ所にゴムバンド７とゴムバンド７止め金具７−１を取り付ける。
ゲーム終了後にボールをボールセット位置に移動する為に使用するボール移動用具８は、木馬１前部首部分に取り付けたリング１−３とＤ形状可動台２平面部の開口部に収納する。
木馬１と、ボール移動ゲーム器具４を取り付けたＤ形状可動台２の円形部を底部として固定台板６の溝６−２に設置する。Ｄ形状可動台２のゴムバンド受けバー２−１四ヶ所に、ゴムバンド７を掛けＤ形状可動台２を固定台板６に取り付ける。
【図面の簡単な説明】
【０００８】
【図１】  ボール移動ゲーム器具付き木馬身体バランス運動用具の斜視図
【符号の説明】
【０００９】  １      木馬
１−１  掴みバー
１−２  クッション
１−３  リング
２      Ｄ形状可動台
２−１  ゴムバンド受けバー
２−２  足掛け板
３      支柱
４      ボール移動ゲーム器具
４−１  ボール移動仕切り板
４−２  ボールホルダー穴
４−３  カラーボール
５      ボールストッパーピン
５−１  ボールストッパーピン操作板
６      固定台板
６−１  傾斜調整板
６−２  Ｄ形状可動台設置用溝
７      ゴムバンド
７−１  ゴムバンド止め金具
８      ボール移動用具
【図１】
0003120238.tif 000003
【手続補正書】
【提出日】平成17年12月19日(2005.12.19)
【手続補正１】
【補正対象書類名】実用新案登録請求の範囲
【補正対象項目名】全文
【補正方法】変更
【補正の内容】
【実用新案登録請求の範囲】
【請求項１】
可動台に木馬とボール移動ゲーム器具を取り付け、該可動台を固定台に弾性材で取り付け、木馬とボール移動ゲーム器具が同時に左右、前後に傾斜出来ることを特徴とした身体バランス運動用具。
(57)【要約】【課題】  本考案は、爪もみ指圧リング本体に突起物、スベリ止め、開閉自在を設け、正確な爪もみ指圧を安全に容易に実践できるものにする。【解決手段】本考案の爪もみ指圧リング本体１に親指先を入れ、指圧をする爪の生えぎはのツボに２のツボ押し突起物が当るようにして、リングを装着した親指と人さし指とで鋏みながら正確に爪もみ指圧実践できるようにしたものである。【選択図】  図１
0003120236.tif 000002
【実用新案登録請求の範囲】
【請求項１】
指輪形状（リング）で形成された爪もみ指圧リング本体下部の外側の凹状（カーブ）に楕円形のツボ押し突起物（２箇所）を設け、本体内側には親指を固定させるためのスベリ止めを設けるとともに、本体の上部（一部）が開いており開閉を自在にできることを特徴とする爪もみ指圧リング。
【考案の詳細な説明】
【技術分野】
【０００１】本考案は、爪もみ指圧リングにツボ押し突起物を設けた爪もみ指圧に関するものである。
【背景技術】
【０００２】爪の生えぎは（両手両足）にある位置の（２箇所）ツボ（井穴）を刺激（爪もみ指圧）することで自律神経を整え体の免疫が高まり、身体の諸症状に著しい治療効果があることが期待できると医学的にも注目され、又、健康を維持する為にも促進効果ができると言われている。
【考案の開示】
【考案が解決しようとする課題】
【０００３】爪もみ指圧を実践する場合に、親指と人差し指で指圧する指の爪の生えぎはをつまんで行なうが、指では効果的に指圧しにくい難しさがあり、又、ハサミの柄、洗濯バサミ等の器具を使用して、爪もみ指圧するのも危険であり、これらの課題の問題点を解決しようとしたものである。
【課題を解決するための手段】
【０００４】本体、爪もみ指圧リングの内部はスベリ止めが設けており、指圧する指を固定できる。本体リングの下部外側には楕円形（爪のツボの位置に合わせる為この形にした）の突起物（２箇所）を設けこの突起物で正確な爪のツボを指圧できる。リングの上部の一部が開いており親指の大小に合わせて自在に開閉ができることで各問題点を解決している。
【考案の効果】
【０００５】本考案の爪もみ指圧リングは、手の平に入る位のコンパクトで携帯ができ何時でも何処でも誰にでも容易に爪もみ指圧が即効果的に実践できすることに役立つ。
【考案の実施するための最良の形態】
【０００６】爪もみ指圧リング本体を親指に装着しリング本体下部にある突起物（２箇所）指圧をする爪の生えぎはのツボに当て、リング本体を装着した親指と人差し指とで鋏み指圧をする
【実施例】
【０００７】以下、添付図面に従って一実例を説明する。１は耐久弾力性のある良質プラスチック素材で形成されており、本体２は良質の弾力性のあるシリコンゴムのツボ押し突起物、３は親指を固定するためのスベリ止め加工が設けている。【０００８】４は爪もみ指圧リング本体を容易に装着できる図。【０００９】５は爪もみ指圧ツボ部分、この部分を正確に指圧をすることで効果が期待できる。
【図面の簡単な説明】
【００１０】
【図１】本考案の爪もみ指圧リング本体（上部より見た）正面図
【図２】上記の図の反対方向から見た図
【図３】爪もみ指圧リング本体を親指に装着した図
【図４】爪ツボ部分の図
【符号の説明】
【００１１】      １  爪もみ指圧リング本体
２  ツボ押し突起物
３  爪もみ指圧リング本体スベリ止め
４  爪もみ指圧リング本体装着
５  爪ツボ部分
【図１】
0003120236.tif 000003
【図２】
0003120236.tif 000004
【図３】
0003120236.tif 000005
【図４】
0003120236.tif 000006
【手続補正書】
【提出日】平成17年12月22日(2005.12.22)
【手続補正１】
【補正対象書類名】実用新案登録請求の範囲
【補正対象項目名】全文
【補正方法】変更
【補正の内容】
【実用新案登録請求の範囲】
【請求項１】
指輪形状で形成された、爪もみ指圧リング本体下部の外側に楕円形のツボ押し突起物を設け、本体内側には親指を固定させるためのスベリ止めを設けるとともに、本体の上部が開いており開閉を自在にできることを特徴とする爪もみ指圧リング。
(57)【要約】      （修正有）【課題】鍋の具と汁をいっしょによそることなく、具だけを取ることができるようにした穴あきおたまと普通おたまの二重可働おたまの提供。【解決手段】穴あきおたま１から普通おたま２を分離することによって、具だけを取れるようにした。【選択図】図３
0003120220.tif 000002
【実用新案登録請求の範囲】
【請求項１】
鍋の具と汁を別々にすくえるようにおたまを二重にしたもの。
【考案の詳細な説明】
【考案の詳細な説明】
【考案が解決しようとする課題】
【０００１】従来、おたまは鍋の具と汁をいっしょにすくい、具だけを取ることが出来ない欠点があった。
【課題を解決するための手段】
【０００２】穴明きおたまと普通おたまを重ねることにより鍋の具と汁をすくい、次に穴明きおたま（１）から普通おたま（２）を離すことにより、具だけを取れるようにした。
【考案の効果】
【０００３】本考案は、おたまを二重にすることにより、鍋の具と汁を別々に取ることが出来る。
【図面の簡単な説明】
【図１】本考案の斜視図である。
【図２】本体の通常の状態を示した側面図である。
【図３】図１の下部のおたまを可動させた状況を示す側面図である。
【符号の説明】
１  穴明きおたま
２  普通おたま
【図１】
0003120220.tif 000003
【図２】
0003120220.tif 000004
【図３】
0003120220.tif 000005
【手続補正書】
【提出日】平成17年11月18日(2005.11.18)
【手続補正１】
【補正対象書類名】実用新案登録請求の範囲
【補正対象項目名】全文
【補正方法】変更
【補正の内容】
【実用新案登録請求の範囲】
【請求項１】
鍋の具と汁を別々にすくえるよう穴明きおたまとおたまを二重にした二重可動おたま
(57)【要約】【課題】  湿布貼り器として、構造的に簡単で且つ容易に確実に１人で背中や腰等に湿布薬を貼ることが、できるようにする。【解決手段】  回転するローラー１４を有するローラー式湿布貼り器であって、支柱１２にローラー１４が取り付けられると共に、ローラー１４の表面に滑り止め１５が施されたことを特徴とする。【選択図】  図１
0003120215.tif 000002
【実用新案登録請求の範囲】
【請求項１】
回転するローラーを有するローラー式湿布貼り器であって、前記ローラーに支柱が取り付けられたことを特徴とするローラー式湿布貼り器。
【請求項２】
前記ローラーは、表面に滑り止めを施されたことを特徴とする請求項１記載のローラー式湿布貼り器。
【請求項３】
前記ローラーの回転を１時的に止めるためのストッパー役を有することを特徴とする請求項２記載のローラー式湿布貼り器。
【考案の詳細な説明】
【技術分野】
【０００１】  本考案は、一般の湿布薬を主に背中や腰等に貼る時に使用される湿布貼り器に関する
【背景技術】
【０００２】  従来、湿布貼り器に関して、様々な形、機能を有したものが考案されている。しかしながら、構造上または使用法において、やや複雑である。【０００３】  なお本願考案に関連する公知技術として次の特許文献１を挙げることができる。【０００４】  ｈｔｔｐ：／ｗｗｗ．ｉｐｄｌｎｃｉｐｉｇｏ．ｊｐ／ｈｏｍｅｐｇ．ｉｐｄｌ「特許電子図書館」公開番号／登録番号  １０−５７４１６
【考案の開示】
【考案が解決しようとする課題】
【０００５】  上述の如く、従来考案の湿布貼り器は、平板型やローラー式等が有るが、構造上または使用時の操作が、やや複雑である。【０００６】  このため、一般の人が使用するには、十分な慣れを必要とし、湿布貼り器として生産、使用が普及していないのが現状である。【０００７】  本考案は、このような点に鑑みて成されたものであり、その目的は、湿布貼り器として構造的に簡単で且つ容易に確実に１人で背中や腰などに湿布薬を貼ることができるようにすることにある。【０００８】  上述の目的を達成する本考案は、ローラーを有するローラー式湿布貼り器であって、回転するローラーに支柱が取り付けられたことを、特徴とする。セロハンが取り除かれた湿布薬を薬面を上にしてローラーの上に載せ、背中や腰等に押し当てて、支柱を引き上げるようにして、ローラーを回転させる。【０００９】  １例として、前記ローラーは、表面に滑り止めを施され又、ローラーの回転を１時的に止めるためのストッパー役を有する。
【考案の効果】
【００１０】  以上、説明したように本考案によれば、回転するローラーに支柱を取り付け、そのローラーの表面に滑り止めを施し、又ローラーの回転を１時的に止めるストッパー役を有するようにしたので、ローラー式湿布貼り器に、前記湿布薬（セロハンを取り除き、薬面を上に）を、ずらさない、落とさない機能を持たせることが可能となる。このローラー式湿布貼り器を例えば、背中や腰等の湿布貼りに用いることで確実に且つ容易に貼ることが可能となり、１人で背中や腰等に湿布を貼る時に極めて有効である。
【考案を実施するための最良の形態】
【００１１】  以下、本考案の実施の形態を図面に基づき詳細に説明する。【００１２】  図１は、本考案の第１の形態に係り、その外観斜視図である。【００１３】  図１に示すように本ローラー式湿布貼り器１１は、ローラーの回転軸１３を支柱１２の末端に接続し、その回転軸１３に回転するローラー１４を取り付けたものである。【００１４】  １例として、支柱１２は、Ｌ字型（または曲線型）にして、ローラーの回転軸１３とほぼ垂直に接続される。【００１５】  ローラー１４には、表面に滑り止めが施されている。滑り止めを施された表面は、１例として、図１に示すように軟質（触感が軟かい）のマジックテープ１５を、ローラー１４のほぼ表面全体に付帯されたものである。【００１６】  ローラー１４の上に載せられた前記湿布薬１６は、移動中に、ローラー上で位置が、ずれる恐れがある。軟質マジックテープ１５によって、これを防ぐことが可能になる。又、ローラー１４を回転させて湿布薬１６を貼るときも、皮膚に対する触感が軟らかく、又貼ることを、より確実にするために、すでに貼られた湿布１６の上を何度かローラー１４を回転させることも可能である。【００１７】  図２は、本考案の第２の実施の形態に係るローラー式湿布貼り器のローラー部分である。同図に示すように本形態に係るローラー２４では、ローラー２４の回転に対するストッパー役に、１例として硬質（触感が硬い）のマジックテープ２７を底面の円の一部に付帯している。【００１８】  ローラー２４は、移動中に回転して、載せている湿布薬１６が落ちる恐れがある。硬質マジックテープ２７は、位置を回転軸１３と合わせて接触させることによって、ローラー２４の自由な回転運動を止め、上記ローラー式湿布貼り器の種々の動きに対しても湿布薬１６が、ずれたり、落ちたりするのを防ぐことが可能となる。又背中や腰等に押し当てて貼るときも、少しの力でローラー２４は回転し、湿布薬１６を確実に且つ容易に貼ることが可能となる。【００１９】  以上、本考案の実施の形態及び実施例を説明したが、本考案の範囲は、これに限定されるものではない。例えば、支柱の形状や大きさ、材質、あるいはローラーの形状、大きさや材質、回転性又はローラー表面の滑り止めやストッパー役の材質、強度、形状大きさ等は、状況に応じて適宜選択されるものである。【００２０】  ローラーの回転性を適正にすることにより、湿布薬を背中や腰等に押し当てて、貼るときだけローラーが回転するようにさせることも可能である。又、ローラー表面の滑り止めやストッパー役の材質は、弾性部材なども可能である。【００２１】  支柱は、ネジ式などで分離できるようにし、腰に貼る時などは、短い支柱にして使用することも可能である。【００２２】  さらに、ローラー式湿布貼り器の材質として、軽量化するために、合成樹脂など構造体として適当な任意の材質のものが利用できる。【００２３】  又、ローラーを大きな支柱や壁や椅子などの別なものに固定して使用することも可能である。
【図面の簡単な説明】
【００２４】
【図１】  本考案の第１の実施の形態に係るローラー式湿布貼り器の外観斜視図である。
【図２】  本考案の第２の実施の形態に係るローラー式湿布貼り器のローラー部分の外観斜視図である。
【符号の説明】
【００２５】１１          ローラー式湿布貼り器
１２          Ｌ字型（または曲線型）支柱
１３          ローラーの回転軸
１４．２４    ローラー
１５          軟質（触感が軟らかい）マジックテープ
１６          湿布薬（セロハンを取り除き、薬面を上にしたもの）
２７          硬質（触感が硬い）マジックテープ
【図１】
0003120215.tif 000003
【図２】
0003120215.tif 000004
(57)【要約】      （修正有）【課題】分離液状物の、販売価に大きな負担にならぬ低価格容器で、撹拌混合が軽便、容易、そして分離液状物使用者の嗜好、味覚を容易に満足させ得て、空き容器は廃棄処理、資源リサイクル対応可能で軽便な容器の提供。【解決手段】略円筒形か、四角筒形容器で、現、大方に市販されている分離液状物を充慎する容器の、胴体部を屈伸可能な蛇腹構造にした。【選択図】図１
0003120218.tif 000002
【実用新案登録請求の範囲】
【請求項１】
分離液状物容器を、屈伸可能な蛇腹構造にする。
【考案の詳細な説明】
【考案の詳細な説明】
【０００１】      ［考案の属する技術分野］
本考案は、分離液状物を撹拌混合させる、容器構造に関するものである。
【０００２】      ［従来の技術］
従来、分離液状物（例えば、調味料．牛乳．濃縮還元果菜ジュース）等、比重差による液体の分離液状物を、充慎する容器  は、ガラス．陶磁器．紙パック．ポリ袋．製缶類．樹脂成形物．その他、等で形成された、形状不変の固定容器である。
分離液状物を使用するの際、使用者の、嗜好、味覚を満足させる必要性から、分離液状物の、撹拌混合は必須の作業であり、此の撹拌混合の作業は、形状固定容器ごと分離液状物を掌中にて激しく上下動させるか、又は、形状固定容器ごと分離液状物を暫時転倒するかの手段にて撹拌混合していた。この撹拌混合作業に際し、容器栓の脱却、弛緩等を見落とし不用意な撹拌混合作業を行うと、分離液状物が突出、飛散、又は、漏出を起こし不都合であり、且つ、形状固定容器類の大多数が（例えば、牛乳紙パック類）一度開栓すると栓を密に戻す事、不可能の形状である、この様な形状固定容器内に、残置する分離液状物が多量の場合には、容器転倒による、撹拌混合作業もかなはず、掌中の上下動、撹拌混合作業も分離液状物が突出、飛散し漏出するの惨禍がある、此の様なことから嗜好、味覚を満足させ得る、分離液状物を形状固定容器による、撹拌混合は安易になし難かつた。
【０００３】先述する如く撹拌混合作業に容器栓は密閉の要がある、分離液状物、使用時は開栓をする、この時、分離の素早い（例えば、食酢と食用油の混合液）分離液状物など、撹拌混合はしたが容器栓を開栓する、僅かな時間差にても再分離をするなど、使い勝手に煩わしさがある。
【０００４】又、形状固定容器内の容量の多い（例えば１ｌ，２ｌ，４ｌ）等の分離液状物になると、従来の方途にては子女の労役をもつては、撹拌混合に不満足の場合がある。
【考案が解決しようとする課題】
【０００５】従来技術に由来する問題は、分離液状物の大方が形状固定容器に充慎、使用されいる、これを形状可変容器にする。分離液状物の販売価に、大きな負担とならず、分離液状物、使用者の嗜好と味覚を軽便、容易に満足させ得て、空き容器は廃棄処分、資源リサイクルに対応可能で軽便な容器であること。
【０００６】本考案は、従来の技術の有するこの様な問題点に鑑みてなされてものであり、その目的とするところは、利用者の嗜好に添うような味覚の分離液状物を、軽便で、容易に撹拌混合出来得る、新たな構造の容器を提供しようとするものである。
【課題を解決するための手段】
【０００７】上記目的を達成するため、本考案における容器構造は筒状方向に屈伸させ得るよう、容器の一部を蛇腹構造にし、その蛇腹構造部は、構造部自体が作成原形に、回復するの機能をもち、各如き蛇腹構造部に屈伸動作を反復させると、容器内溶液、すなはち分離液状物に、泳動運動を与えて撹拌混合が行われる。
【０００８】［考案実施の形態］
考案実施の形態について図面を参照にして説明をする。
【実施例】
【０００９】図１は新たに提案する屈伸可能な構造をもつ容器の、横正面図である。
該、容器図１は、ボトル用フイルム、液体充慎用紙等を、加圧成形、若しくはブロー成形等により形成する。
作成された、容器図１を、満たす分離液状物、図（略）の最大充慎量は、以下の動作を妨げない量を分限にする。
分離液状物、図（略）使用に際し、容器図１の、外筒部２を縦方向から圧縮する、この圧縮は、容器図１の、胴体部にある蛇腹構造部３も圧縮変形し、位置変動をする、変動する蛇腹構造部３に接する、分離液状物、図（略）は容器内で波動し、第一次の撹拌混合作用を誘起する、次の瞬間外筒部２を圧縮から開放する、ともに圧縮から開放された蛇腹構造部３は製作原形に復元をする、この復元の変形過程にありても、蛇腹構造部３に接する分離液状物、図（略）の撹拌混合作用は起きる。この外筒部２の圧縮と開放、この反復の連続が、蛇腹構造部３の位置連動となり、分離液状物図（略）を泳動させ、容器図１内に充慎された、分離液状物、図（略）を撹拌混合させ得る結果になる。
【考案の効果】
【００１０】本考案は、上述のとおり構成されているので、次にあげる効果を有する。
【００１１】衝動的な撹拌混合作業を回避出来る得る為、分離液状物の突出、飛散、漏出の惨害が極めて少なくなる。
【００１２】机上に静値して撹拌混合作業が可能であるため、容量の多い（例えば１ｌ，２ｌ，４ｌ）等、分離液状物の撹拌混合作業が子女の労役にても容易である。
【００１３】容器栓を開栓したまま撹拌混合が行えるため、分離の素早い（例えば食酢と食用油の混合液）分離液状物を、使用時容器栓の、開栓時差による再分離を懸念する切迫感がなく、最適に撹拌混合を経た、嗜好、味覚を満足させ得る、分離液状物が適時使用出来る。隻腕、隻手の人達にも、容器栓を開閉する経時余裕が出来る。
【図面の簡単な説明】
【図１】今回提案に関はる容器の一部を蛇腹構造で形状可変にした、容器の横正面図。
【図２】今回提案に関わる紙製牛乳パックを蛇腹構造で形状可変にした、容器の横正面図。
【符号の説明】
２    蛇腹構造で、形状可変にした図１容器の外筒部。
３    蛇腹構造で、形状可変にした図１容器の蛇腹構造部。
【図１】
0003120218.tif 000003
【図２】
0003120218.tif 000004
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
屈伸可能な蛇腹構造にした分離液状物容器。
(57)【要約】【課題】犬をつれて歩く場合、他の犬や通行人とすれ違うときにはリードを短く持つ必要が発生することが良くある。このリードを短く持つ際の持ちにくさ、不確実な保持を解決するために、中ほどにもう一つ手に持つための輪っかを取り付けたリードを提供する。【解決手段】リード１の中ほどに、手に持つための輪っか２を取り付けることによって、リードを短く持ちたいときに容易に、確実に保持できるようにする。【選択図】図１
0003120212.tif 000002
【実用新案登録請求の範囲】
【請求項１】
飼い犬をつれて歩く場合に使用するリードのほぼ中央部分に、飼い主が手に持つためのもう一つの輪っかを取り付けることにより、路上で他の犬とすれ違う場合や、通行人とすれ違う場合に、この部分を持つことにより容易にリードを短く保持することができ、安全に且つ迷惑にならないように犬を制御できるダブル輪っかのリード。
【考案の詳細な説明】
【技術分野】本考案は、犬のリードを短く持つときの持ちにくさと保持の確実性を解決するために、通常のリードの中ほどにもう一つ手に持つ輪っか部分を装着することにより、この中ほどの輪っか部分を持つことで、容易に安全にリードを短くして犬を制御できるようにしたものである。
【背景技術】従来は短く持つための中ほどに輪っかのついたリードは無かった。
【考案の開示】
【考案が解決しようとする課題】
【０００１】犬をつないで散歩させるリードには、一方に犬をつなぐ金具があり、他方には飼い主が持つための輪っかが付いている。他の犬や通行人とすれ違う場合には、犬を制御するためにリードの中ほどを持ち短くするが、力が入らないので犬の引っ張りに負けてリードがすり抜けてしまったり、大変手が痛くなるという問題点があった。
【課題を解決するための手段】
【０００２】リードを短くして持ちたいときのために、リードの中ほどにもう１つ持つための輪っかを追加取り付けし、ここを持つことにより飼い主がしっかりとリードを保持でき、飼い犬を制御出来るようにした。
【考案の効果】
【０００３】リードを短くしたいときに中ほどの輪っかを持つことができるので、容易に痛くなく且つ確実に保持出来るため、通行人や他の犬とすれ違うときに飼い犬の制御がしっかりと出来、安全である。
【図面の簡単な説明】
【図１】リード本体と追加した輪っかの平面図である。
【図２】考案したリードの使用状況を示す状況図である。
【符号の説明】
１  リード本体
２  追加輪っか部分
３  飼い主
４  飼い犬
【図１】
0003120212.tif 000003
【図２】
0003120212.tif 000004
(57)【要約】      （修正有）【課題】従来の吊り下げ用救急薬入れは高価であり、また蓋を閉めた状態では内容物を確認出来ず、更に振動などで蓋が開く恐れがあったが、これらの解消。【解決手段】容器本体１０は強靱ではあるが安価な素材を用い、蓋２０は透明又は半透明の軟質樹脂を用いることで、コストを下げると同時に、いちいち蓋を開けることなく中の薬の存在が何時でも分かるようにした。また容器内面にリング状溝５を設け、一方の蓋にはリング状凸部６を設け、これらを嵌合することで、薬収納空間１を閉じることが出来る構造とした。また蓋２０の外周部径は、容器本体１０の外周部径より、僅かに大きくしたことで、蓋を開ける時は、左手指で容器本体１０を押え、右手親指で蓋２０の外周部を剥がすように曲げると、容易に蓋を開けることが出来る。しかし、これ以外では蓋が開くことはない。これにより、振動などで蓋が開く恐れを解消。【選択図】図２
0003120216.tif 000002
【実用新案登録請求の範囲】
【請求項１】
容器本体１０には強靱で且つ比較的安価な素材を使用し、円筒部４の内面にはリング状溝５を設け、更に蓋２０の素材には比較的軟らかい樹脂を使用し、リング状溝５に嵌合可能なリング状凸部６を有することを特長とする吊り下げ用救急薬入れ。
【請求項２】
容器本体１０の蓋２０の素材に、透明または半透明の樹脂を使用したことを特長とする吊り下げ用救急薬入れ。
【請求項３】
容器本体１０の蓋２０に於いて、その上部に吊り下げ穴２を有する吊り下げ部３を、設けたことを特長とする吊り下げ用救急薬入れ。
【考案の詳細な説明】
【技術分野】
【０００１】  本考案は、狭心症・低血糖症・心房細動不整脈・片頭痛などの発作を治めるための救急薬を、常に身につけておくための吊り下げ用救急薬入れに関するものである。
【背景技術】
【０００２】  従来の吊り下げ用救急薬入れは、貴金属製のピルケースペンダントなどが多く、高価であった。また蓋を開けなければ中の薬の存在を確認できなかった。更に蓋はネジ式か、がま口方式が多く、振動などで蓋がゆるみ、中の薬が紛失する恐れがあった。
【考案の開示】
【考案が解決しようとする課題】
【０００３】  しかし救急薬入れは貴金属製の必要はなく、もっと安価であることが求められていた。また蓋を開けなくても中の薬の存在を確認できること、更に振動などで蓋が開かないものが求められていた。
【課題を解決するための手段】
【０００４】  そこで容器本体１０は強靱で、且つ安価な素材にすることが好ましい。また蓋２０には透明又は半透明の素材を使用することで、蓋を開けることなく中の薬の存在が分かるようにすることが望ましい。更に容器本体１０の円筒部４にリング状溝５を設け、これに嵌合可能なリング状凸部６を有する蓋２０を嵌合させる方式にすることで、振動などで蓋がゆるんで開くようなことがない構造とすることが望ましい。
【考案の効果】
【０００５】  本考案によれば、容器本体１０には強靱で、且つ安価な金属や樹脂を使用し、蓋２０には半透明の軟質の樹脂を使用するので、強靱で安価であり、且つ蓋２０を開けることなく中の薬の存在を確認出来るばかりでなく、蓋２０は嵌合方式なので振動などで開くことはなく、内容物が紛失することもない。
【考案を実施するための最良の形態】
【０００６】  本考案の吊り下げ用救急薬入れの容器本体１０には、不銹鋼等が望ましく、また蓋の素材は半透明の軟質樹脂が最良である。更に本体１０には包装のままの救急薬を、十分収納出来る薬収納空間１を設け、円筒部４の内面の円周にはリング状溝５を形成し、蓋２０の内面にあるリング状凸部６と嵌合可能な構造にすることが好ましく、更に蓋２０の外径は、容器本体１０の外径より、僅かに大きくすることが最良の形態である。
【図面の簡単な説明】
【０００７】
【図１】本考案に係る吊り下げ用救急薬入れの正面図である。
【図２】図１の右側面図で、一部は断面図である。
【符号の説明】
【０００８】１    薬収納空間
２    吊り下げ穴
３    吊り下げ部
４    円筒部
５    リング状溝
６    リング状凸部
１０  容器本体
２０  蓋
【図１】
0003120216.tif 000003
【図２】
0003120216.tif 000004
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
容器本体１０には強靱で且つ比較的安価な素材を使用し、円筒部４の内面にはリング状溝５を設け、更に蓋２０の素材には比較的軟らかく、透明または半透明の樹脂を使用し、リング状溝５に嵌合可能なリング状凸部６を有することを特長とする吊り下げ用救急薬入れ。
(57)【要約】      （修正有）【課題】鍋、フライパン等家庭器物の持ち手を滑り難くした柄の提供。【解決手段】柄の断面を多角形化し多角形の頂点を山１、辺部分に縦溝を入れる事により谷２となり断面に凹凸が出来る。人間の手は弾性があり凹凸になじみこれより滑り難く、調理したものを器等に移す時握力の小さな方、高齢者にも手首の負担が軽減される。【選択図】図１
0003120219.tif 000002
【実用新案登録請求の範囲】
【請求項１】
鍋、フライパン等の家庭器物において柄の断面の形状を多角形化し多角形の頂点を山として、辺部分が谷になるように縦溝を入れる。この事により断面の形状に凹凸ができる。
【考案の詳細な説明】
【技術分野】
【０００１】本考案は柄の断面の形状を多角形化し多角形の頂点を山、辺部分に縦溝を入れると凹凸ができる。それにより滑り難くなる。握力の小さな方、高齢者に負担が小さくなる
【背景技術】
【０００２】柄の断面の形状が円、楕円、または円、楕円、多角形を組み合わせたものはあるが断面の形状を多角形化し多角形の頂点を山とし、辺部分が谷になるように縦溝を入れ凹凸を付けたものはなかった。
【考案の開示】
【考案が解決しようとする課題】
【０００３】鍋、フライパンなど使用の際柄の断面の形状が円、楕円、多角形で縦溝のない柄だと滑りやすい。また調理したものを器等に移す時手首をひねる力が働く。握力の小さな方や高齢者には滑りやすい、手首に負担がかかるという問題があった。
【課題を解決するための手段】
【０００４】柄の断面の形状を多角形化しその多角形の頂点を山とし、辺部分に縦溝を入れ谷となるように凹凸をつけた。ただし鍋、フライパン等に於いて人の手の大きさから柄の外径寸法を考慮すると、４角形から１２角形程度が最適と考えられる
【考案の効果】
【０００５】鍋、フライパン等の使用の際手首をひねると云う動作が多くある。多角形の頂点を山、辺部分に縦溝を入れる事により谷となり凹凸ができ弾性がある人間の手になじみやすく負担が軽減される。フィット感が増すため小さな力でひねりやすくなる。特に握力の落ちた方、高齢者には効果がある。
【図面の簡単な説明】
【０００６】
【図１】例として８角形と１２角形の断面図、平面図。
【図２】例として８角形の柄を片手鍋に取り付けた状態を側面図として示した。
【符号の説明】
【０００７】１  山部分
２  谷部分
３  鍋
【図１】
0003120219.tif 000003
【図２】
0003120219.tif 000004
【手続補正書】
【提出日】平成17年11月14日(2005.11.14)
【手続補正２】
【補正対象書類名】実用新案登録請求の範囲
【補正対象項目名】全文
【補正方法】変更
【補正の内容】
【実用新案登録請求の範囲】
【請求項１】
柄の断面形状を多角形化し頂点を山とし、かつ辺部分を谷とすることにより凹凸が出来滑り難くなる鍋、またはフライパンの柄。
(57)【要約】【課題】耐震性を高めた、木の柱や梁の接合に使用する金属板を提供する。【解決手段】金属板の表平面に１以上の溝を設ける。【選択図】図１
0003120003.tif 000002
【実用新案登録請求の範囲】
【請求項１】
表平面に１以上の溝を設けた、木の柱や梁の接合に使用する金属板。
【請求項２】
溝を凸部にした、請求項１の木の柱や梁の接合に使用する金属板。
【請求項３】
表平面に１以上の金属板を取り付けた、請求項１の木の柱や梁の接合に使用する金属板。
【請求項４】
溝が文字形である、請求項１の木の柱や梁の接合に使用する金属板。
【請求項５】
凸部が文字形である、請求項２の木の柱や梁の接合に使用する金属板。
【請求項６】
表平面に１以上の金属板を取り付ける金属板が文字形である、請求項３の木の柱や梁の接合に使用する金属板。
【考案の詳細な説明】
【技術分野】
【０００１】  この考案は、耐震性を高めるため、表平面に溝を設けた、木の柱や梁の接合に使用する金属板に関するものである。
【背景技術】
【０００２】  木の柱や梁と金属板を接合する場合、金属板に設けられたボルト通し穴にボルトを通し、ナットを取り付けて締め付けるだけである。
【考案の開示】
【考案が解決しようとする課題】
【０００３】  これには、次のような欠点があった。
地震によって木の柱に振動が生じた場合、金属板の表面は平面であるため、木は金属板の表面を滑ってしまう。（図２）
そのため、ボルトやナットだけで振動を食い止めることになり、その結果、木の柱がぶれ易く、建築物にきしみを生じやすくなり、倒壊などの危険が増す。
【課題を解決するための手段】
【０００４】  請求項１について説明する。本考案は、耐震性を高めるため、木の柱や梁の接合に使用する金属板の表平面に１以上の溝（図１）を設けたものである。
溝は、金属板の両面に設けるとさらに摩擦を大きくできることは自明である。【０００５】  請求項２について説明する。本考案は、耐震性を高めるため、木の柱や梁の接合に使用する金属板の表平面に１以上の凸部（図４）を設けたものである。
凸部は、金属板の両面に設けるとさらに摩擦を大きくできることは自明である。【０００６】  請求項３について説明する。本考案は、耐震性を高めるため、木の柱や梁の接合に使用する金属板の表平面に１以上の金属板（図示しない）を設けたものである。
溝は、金属板の両面に設けるとさらに摩擦を大きくできることは自明である。【０００７】  請求項４について説明する。請求項１の溝を文字形（図５、６）にしたものである。【０００８】  請求項５について説明する。請求項２の凸部を文字形（図示しない）にしたものである。【０００９】  請求項６について説明する。請求項３の表平面に１以上の金属板を取り付ける金属板を文字形（図示しない）にしたものである。
【考案の効果】
【００１０】  本考案により、次の効果を生む。
本考案を使用して木の柱や梁と金属板を接合する場合、金属板に設けられたボルト通し穴にボルトを通し、ナットを取り付けて締め付ける。
こうすると、請求項１、４では、木の一部が溝に入り込み（図３）、請求項２、３、５、６では、木の一部に凸部が食い込む。
そうすると、柱や梁と金属との摩擦は大きくなり、耐震性を高めることができるので、耐震性を高めることができる。特に、大断面構造などには有効である。【００１１】  溝、凸部などを図５、６に示すような文字形にすると、縁起物の効果も得られる。
【考案を実施するための最良の形態】
【００１２】  以下、本考案を実施するための最良の形態を説明する。
まず、請求項１について説明する。本考案は、耐震性を高めるため、木の柱や梁の接合に使用する金属板の表平面に１以上の溝を、金属板を削って設けるか、型を作り、プレスなどで作ってもよい。
溝は、直線状、曲線状、丸状、三角状、四角状などの図形などにするか、これらを組み合わせたものにする。
請求項４では、例えば、図５に示すように、祝という文字の形を、金属板を削って描くようにする。文字は、日本語に限ったものではない。
こうすれば、地震によって木の柱に振動が生じた場合、木のずれる方向がどの方向にずれても、溝に入りこんだ木の一部が、金属と摩擦を生じ、耐震性を高めることができる。溝は、金属板の両面に設けるとさらに摩擦を大きくできることは自明である。【００１３】  次に、請求項２、５について説明する。金属板に凸部を設けるわけであるが、凸部以外のところを削ることにより製作するか、型を作り、プレスなどで作ってもよい。【００１４】  次に、請求項３、６について説明する。金属板を金属板に取り付けるわけであるが、溶接、あるいは、取り付ける金属板に穴を開けてボルトとナットでとめてもよい。
【図面の簡単な説明】
【００２０】  図１は、本考案の１つの溝の刻み方を示す斜視図である。
図２は、本考案の実施例を示す側面図である。
図３は、本考案の細部を示す側面図である。
図４は、本考案の１つの凸部の設けかたを示す斜視図である。
図５は、本考案の実施例を示す正面図である。
図６は、本考案の実施例を示す正面図である。
【符号の説明】
【００３０】  １  溝ａ、ｂ、ｃ、ｄ、ｅ
２  金属板
３  ボルト通し穴（雌ネジ部）
１１  木の柱
１２  ボルト
１３  ナット
１４  金属板
２１  凸部ａ、ｂ、ｃ、ｄ、ｅ
【図１】
0003120003.tif 000003
【図２】
0003120003.tif 000004
【図３】
0003120003.tif 000005
【図４】
0003120003.tif 000006
【図５】
0003120003.tif 000007
【図６】
0003120003.tif 000008
(57)【要約】      （修正有）【課題】竿にハンガーを取り付けた際に風による移動が無く安定して干せる。胴形状のハンガーを必要分だけ、並べて竿に干せるので場所も取らない。他の洗濯物ハンガーと胴形状なため取り込み時もかさばらない。  【解決手段】竿などに固定できるバネつきキャッチ式ハンガーにし、これに直接、洗濯ばさみを取り付けた。【選択図】図１
0003120004.tif 000002
【実用新案登録請求の範囲】
【請求項１】
物干し竿に固定できる、複数個の挟み具付き洗濯小物干しハンガー。
【考案の詳細な説明】
【技術分野】
【０００１】バネつきハンガータイプに小物干し具をぶら下げ竿などに固定する。
【背景技術】
【０００２】従来の小物干し具部分についての工夫より、物干し竿に取り付ける部分を単に引っ掛けるのではなく、竿に挟むタイプにした。
【考案の開示】
【考案が解決しようとする課題】
【０００３】竿にハンガーを取り付けた際に風による移動が無く安定して干せる。
同形状のハンガーを必要分だけ、並べて竿に干せるので場所も取らない。
他の洗濯物ハンガーと同形状なため取込み時もかさばらない。
【課題を解決するための手段】
【０００４】竿に取り付ける部分をばね式のキャッチつきにした。
【考案の効果】
【０００５】竿に安定して干せる。
他のハンガー物干しと同様に場所をとらずに干せる。
シンプルで美しい形である。
【考案を実施するための最良の形態】
【０００６】キャッチ式ハンガーに洗濯ばさみを取り付けたものである。
【実施例】
【０００７】図１の１の部分をバネ付きハンガーにし、図１の４の部分を手で握り開閉できるようにし、ハンガーの下の部位に複数個の穴を開けリングで洗濯ばさみを取り付ける。
【産業上の利用可能性】
【０００８】簡単な構造に依り出荷時にもかさばらない。
【図面の簡単な説明】
【０００９】
【図１】本考案の正面図である。
【符号の説明】
【００１０】１  バネつきキャッチ式部分
２  洗濯ばさみ
３  キャッチ部分を握った際の回転可動部位
【図１】
0003120004.tif 000003